(57)【要約】【課題】  ツイストペアケーブル等の多芯ケーブルの両端は芯線の並びが逆になるため、接続作業において誤認する可能性があった。しかし、一般に芯線には線番（対番）が明確に表示されていないので、両端の線番（対番）が一致しているか否かを確認するためには、実際に通電を行う等の必要があり作業者の負担になっていた。【解決手段】  芯線の線番（対番）ごとに設けられた収納位置にあらかじめ芯線を収納しておくことで、現地での接続作業において、表示された線番（対番）とケーブルの方向を示す表示に基づき、接続の正誤を容易に確認することができる多芯ケーブルの識別表示具を提供する。【選択図】      図１
2011229271.tif 000002
【特許請求の範囲】
【請求項１】
複数の芯線を有する多芯ケーブルの端部に取り付けて、該多芯ケーブルを構成する夫々の芯線を、識別可能に表示する多芯ケーブルの識別表示具であって、
芯線を夫々に保持する芯線保持部と、
夫々の前記芯線保持部が保持する芯線に対応して、該芯線の識別情報を表示する識別情報表示部と、
多芯ケーブルの方向を示す方向表示部と、
を備えることを特徴とする多芯ケーブルの識別表示具。
【請求項２】
前記多芯ケーブルはツイストペアケーブルであって、
夫々の前記芯線保持部は、芯線を夫々に保持するのではなく、前記ツイストペアケーブルを構成する芯線のペアを一対で保持することを特徴とする請求項１記載の多芯ケーブルの識別表示具。
【請求項３】
夫々の前記芯線保持部はリング状の形態を備え、柱状の前記方向表示部を軸として花弁状に隣設されており、リングの一部に挟み込み口を設けて芯線を介挿可能にするとともに、前記挟み込み口の両側において弧状となった前記芯線保持部の弾性を用いて、介挿した芯線を掴持することを特徴とする請求項１又は２に記載の多芯ケーブルの識別表示具。
【請求項４】
請求項１乃至３のいずれか一に記載の多芯ケーブルの識別表示具が、始端と終端に夫々設置された多芯ケーブルであって、夫々の識別表示具が備える前記方向表示部は多芯ケーブルの方向を示しており、
多芯ケーブルを構成する芯線には、他の芯線と識別可能な芯線を含み、該芯線の両端は、夫々の識別表示具において、同一の識別情報を示す前記芯線保持部に夫々挿入されており、
夫々の識別表示具には、該芯線が挿入された芯線保持部の位置と、該芯線と他の芯線との位置関係と、に基づき、他の芯線に対応する位置関係の前記芯線保持部に、該他の芯線が挿入されていることを特徴とする多芯ケーブル。
【請求項５】
請求項１乃至３のいずれか一に記載の多芯ケーブルの識別表示具を用いた多芯ケーブルの接続方法であって、
多芯ケーブルを構成する芯線のうち、基準とする芯線を特定する工程と、
該多芯ケーブルの始端と終端に設置する夫々の識別表示具において、同一の識別情報を示すいずれかの前記芯線保持部を、夫々基準とする芯線保持部として特定する工程と、
夫々の識別表示具の前記方向表示部が示す方向と、該多芯ケーブルの方向と、を同一にし、夫々の識別表示具が備える前記基準とする芯線保持部に、前記基準とする芯線の始端又は終端を挿入する工程と、
夫々の識別表示具において、該基準とする芯線保持部の位置と、該基準とする芯線と他の芯線との位置関係と、に基づき、夫々の他の芯線に対応する位置関係の夫々の前記芯線保持部を特定し、該他の芯線を夫々挿入する工程と、
該多芯ケーブルの始端と終端に設置した識別表示具の識別情報に基づき、同一の識別情報の芯線を夫々選択して、２点の接続箇所に接続する工程と、
を備えることを特徴とする識別表示具を用いた多芯ケーブルの接続方法。
【発明の詳細な説明】
【技術分野】
【０００１】
ツイストペアケーブル等の多芯ケーブルの端部において、ケーブルを構成するそれぞれの芯線に取り付けて、線番（対番）等の識別情報を表示する多芯ケーブルの識別表示具の技術に関する。
【背景技術】
【０００２】
多芯ケーブルであるＴＰＣ通信５Ｐケーブルは、一般的に一対が２本で５対のツイストペアケーブルであり、１番の対は青色と白色の組み合わせに、２番から５番の対は赤色と白色の組み合わせになっている。また、これらの５対のツイストペアケーブルは、青色と白色の組み合わせである１番の対から、ケーブル方向を向いて左回りの順番に配置されている。
【０００３】
現地における上記のツイストペアケーブルの接続作業では、ケーブル方向の相違などから、２番対と５番対が逆になるケースや３番対と４番対が逆になるケースが見受けられ、通信が通らず機器が制御できないという事例が発生している。その対応のための調査・修理に時間がかかり、作業者の負担になっている。
【０００４】
なお、対ごとに被覆バインド線等で括って分ける方法もあるが、手間がかかるとともに編み出しの順番を誤認する可能性があることは変わらない。
そのため、線番の識別が容易なケーブル識別用整列治具に関する技術等が提案されている。（例えば特許文献１を参照）。
【先行技術文献】
【特許文献】
【０００５】
【特許文献１】特開平１１−１３６８２８号公報
【発明の概要】
【発明が解決しようとする課題】
【０００６】
従来において、ツイストペアケーブルの対番を識別する方法としては、対番ごとに識別が可能になるように着色等を行うことが考えられるが、コスト面で問題があり実用的ではない。
【０００７】
また、上記の特許文献１の発明では、治具の取り付けに時間がかかり、作業者への負担が大きくなるほか、１本づつを治具に入れるため、ツイストペアケーブルの一対をバラバラにする必要があり、さらなる混線を招く可能性がある。
【０００８】
他にも、現地においてケーブル方向と編み出しの順番を確認できないため、誤認する可能性がある。さらに、分岐箱内の小さなスペースでは、入線するケーブル本数が増えると邪魔になるという問題もある。
【０００９】
そこで、本発明では、現地で容易に取り付けができるとともに、ツイストペアケーブルの対の編み出し順や組み合わせを、現地で容易に確認することができる多芯ケーブルの識別表示具を提供することを目的とする。
【課題を解決するための手段】
【００１０】
上記の目的を達成するため、本発明の多芯ケーブルの識別表示具は、複数の芯線を有する多芯ケーブルの端部に取り付けて、該多芯ケーブルを構成する夫々の芯線を、識別可能に表示する多芯ケーブルの識別表示具であって、芯線を夫々に保持する芯線保持部と、夫々の前記芯線保持部が保持する芯線に対応して、該芯線の識別情報を表示する識別情報表示部と、多芯ケーブルの方向を示す方向表示部と、を備えることを特徴とする。
【００１１】
ここで「多芯ケーブルの端部」とは多芯ケーブルの始端と終端であって、「多芯ケーブルの方向を示す方向表示部」とは、方向性を持つ多芯ケーブルの向きを示す識別表示具の一部分を意味する。
【００１２】
なお、多芯ケーブルの始端と終端に識別表示具を取り付けて使用するような場合は、同型の識別表示具を使用するか、少なくとも双方の識別表示具の識別情報表示部における識別情報の数字・記号等の種類・範囲や、方向表示部における方向の表示が同一であることが必要である。
【００１３】
また「芯線の識別情報」とは、たとえば、芯線の線番やツイストペアケーブルにおける対番等の情報を意味する。ここでは、線番や対番が付されていない多芯ケーブルに、作業担当者が独自に採番を行うような場合も含む。これにより、たとえば色や形状により特定していた芯線等を、客観的な数字等による線番等により特定することができる。
【００１４】
「識別情報を表示する」とは、それぞれの芯線を保持する芯線保持部に対応した識別情報表示部を設けて、該当する芯線の線番等の情報を明示する意味である。なお、識別番号と芯線保持部との対応関係が示されるのであれば、芯線保持部ではなく方向表示部等に識別情報を表示してもよい。
【００１５】
作業担当者は、多芯ケーブルの配線作業に際し、あらかじめ多芯ケーブルの両端において、芯線保持部に表示された識別情報に該当する芯線を挿入等して識別表示具を取り付けておく。その後、両端の作業担当者は、芯線の識別情報を相互に確認しながら配線作業を行う。なお、始端と終端ではケーブル方向が異なるため、方向表示部は反対の方向を示している。作業担当者は方向表示部の方向についても確認のうえ配線作業を行う。
【００１６】
本発明によれば、それぞれの芯線の線番等や多芯ケーブルの方向を明確に認識することができるので、接続作業において誤認を回避することができる。
【００１７】
また、本発明の多芯ケーブルの識別表示具において、前記多芯ケーブルはツイストペアケーブルであって、夫々の前記芯線保持部は、芯線を各々に保持するのではなく、前記ツイストペアケーブルを構成する芯線を一対で保持することを特徴とする。
【００１８】
本発明によれば、識別表示具を取り付ける多芯ケーブルが、多芯ケーブルの一種であるツイストペアケーブルの場合でも、一対の芯線を単位として芯線保持部で管理することができるので、対の芯線を構成する片方の芯線が、他の対の芯線と混線を生ずるような事態を回避することができる。
【００１９】
さらに、本発明の多芯ケーブルの識別表示具において、夫々の前記芯線保持部はリング状の形態を備え、柱状の前記方向表示部を軸として花弁状に隣設されており、リングの一部に挟み込み口を設けて芯線を介挿可能にするとともに、挟み込み口の両側において弧状となった前記芯線保持部の弾性を用いて、介挿した芯線を掴持することを特徴とする。
【００２０】
ここで「夫々の前記芯線保持部は（略）柱状の前記方向表示部を軸として花弁状に隣設され」るとは、たとえば柱状の方向表示部をＺ軸としたときに、芯線保持部はＸＹ軸上にあることを意味する。
【００２１】
なお、「花弁状に隣設されて」いる芯線保持部の数は、多芯ケーブルを構成する芯線や対の数と一致させることが好ましい。
【００２２】
本発明によれば、芯線保持部をリング状にして挟み込み口を設けることで、シンプルな構成で取り付けが容易になる一方、高い保持力を持たせることができるという特有の効果を奏する。
【００２３】
また、本発明の多芯ケーブルは、上記の多芯ケーブルの識別表示具が、始端と終端に夫々設置された多芯ケーブルであって、夫々の識別表示具が備える前記方向表示部は多芯ケーブルの方向を示しており、多芯ケーブルを構成する芯線には、他の芯線と識別可能な芯線を含み、該芯線の両端は、夫々の識別表示具において、同一の識別情報を示す前記芯線保持部に夫々挿入されており、夫々の識別表示具には、該芯線が挿入された芯線保持部の位置と、該芯線と他の芯線との位置関係と、に基づき、他の芯線に対応する位置関係の前記芯線保持部に、該他の芯線が挿入されていることを特徴とする。
【００２４】
「他の芯線と識別可能な芯線」とは、特定の芯線のみが識別可能となっている芯線を意味する。たとえばＴＰＣ通信５Ｐケーブルでは、１番対は青線と白線の組み合わせで、その他の２番対から５番対は赤線と白線の組み合わせであり、１番対のみが他の芯線と識別可能な芯線となっている。
【００２５】
また、すべての芯線について番号や着色等の識別情報が付されているような場合には、任意の芯線を「他の芯線と識別可能な芯線」とする。ここでは、たとえばもっとも小さい番号の芯線を選択する等の規則を設けることで、画一的な取り扱いとすることができる。
【００２６】
同様に「他の芯線と識別可能な芯線」を挿入する「同一の識別情報を示す前記芯線保持部」についても、たとえば識別情報が数値である場合において、もっとも小さい番号の芯線を選択する等の規則を設けることで、画一的な取り扱いとすることができる。
【００２７】
また、一般に多芯ケーブルは円筒状となっていて、各芯線が外皮と同心円を描くように内包されている。ここで「該芯線と他の芯線との位置関係」とは、「該芯線」を基準とした場合に「他の芯線」も同心円上の所定の位置にあるため、関係付けが可能なことを意味する。
【００２８】
たとえば、識別表示具の芯線保持部を、先述の多芯ケーブルの各芯線が描く同心円に対応した配置とすることで、一般的な多芯ケーブルの各芯線に確実に対応させることができる。
【００２９】
本発明によれば、多芯ケーブルが標準で備える識別可能な芯線に基づき識別表示具が取り付けられ、その他の芯線にも所定の識別番号が割り当てられることになるので、複数の作業担当者の間であっても連絡ミスを低減することができる。
【００３０】
さらに、本発明の識別表示具を用いた多芯ケーブルの接続方法は、上記の多芯ケーブルの識別表示具を用いた多芯ケーブルの接続方法であって、多芯ケーブルを構成する芯線のうち、基準とする芯線を特定する工程と、該多芯ケーブルの始端と終端に設置する夫々の識別表示具において、同一の識別情報を示すいずれかの前記芯線保持部を、夫々基準とする芯線保持部として特定する工程と、夫々の識別表示具の前記方向表示部が示す方向と、該多芯ケーブルの方向と、を同一にし、夫々の識別表示具が備える前記基準とする芯線保持部に、前記基準とする芯線の始端又は終端を挿入する工程と、夫々の識別表示具において、該基準とする芯線保持部の位置と、該基準とする芯線と他の芯線との位置関係と、に基づき、夫々の他の芯線に対応する位置関係の夫々の前記芯線保持部を特定し、該他の芯線を夫々挿入する工程と、該多芯ケーブルの始端と終端に設置した識別表示具の識別情報に基づき、同一の識別情報の芯線を夫々選択して、２点の接続箇所に接続する工程と、を備えることを特徴とする。
【００３１】
「多芯ケーブルを構成する芯線のうち、基準とする芯線を特定する」とは、それぞれの芯線への識別情報の割り当てに際して、両端において基準となる芯線を選択することを意味する。基準となる芯線が特定されれば、その他の芯線は基準となる芯線との位置関係に基づいて採番されることになる。
【００３２】
「該多芯ケーブルの始端と終端に設置した識別表示具の識別情報に基づき、同一の識別情報の芯線を夫々選択して、２点の接続箇所に接続する」とは、たとえば、両端部において同一の対番（識別番号）が付された芯線が、それぞれの対番（識別番号）に基づき、相互に対応する接続箇所に接続されることを意味する。
本発明によれば、作業担当者が離れた現場で接続作業を行うような場合にも、両端部で同一の識別番号に基づいて作業を行うことができるので、接続ミスを大幅に減少させることができる。
【発明の効果】
【００３３】
本発明の多芯ケーブルの識別表示具を採用することで、現地での編み出し作業における誤認を防止し、ケーブルの接続ミスを減少させることができる。これにより、たとえば通信不良に対応するために発生するような費用や労力を削減することができる。
【００３４】
また、線および端子の接続不良による通信障害の調査・修理では、線番の確認が容易となるため、作業に要する時間を大幅に短縮することができる。
【図面の簡単な説明】
【００３５】
【図１】第１の実施形態にかかる多芯ケーブルの識別表示具１の正面図（ａ）と右側面図（ｂ）である。
【図２】第１の実施形態にかかる多芯ケーブルの識別表示具１をツイストペアケーブル２の両端部に接続して、ＴＰＣ分岐箱３に入線した状態を示した図である。
【図３】第１の実施形態にかかる多芯ケーブルの識別表示具１をツイストペアケーブル２に取り付けた例を示す画像である。
【図４】第２の実施形態にかかる多芯ケーブルの識別表示具１の左側面図（ａ）、正面図（ｂ）および断面図（ｃ）である。
【図５】第２の実施形態にかかる多芯ケーブルの識別表示具１の使用方法を説明した図である。
【図６】第２の実施形態の変形例にかかる多芯ケーブルの識別表示具１の左側面図（ａ）および正面図（ｂ）である。
【図７】第２の実施形態の変形例にかかる多芯ケーブルの識別表示具１の使用方法を説明した図である。
【発明を実施するための形態】
【００３６】
以下、本発明の多芯ケーブルの識別表示具における第一の実施形態について説明する。
図１（ａ）は、本実施形態の多芯ケーブルの識別表示具１の正面図であり、図１（ｂ）は右側面図である。
【００３７】
本実施形態の多芯ケーブルの識別表示具１は、方向表示部１２と複数の芯線保持部１１からなっている。それぞれの芯線保持部１１はリング状の形態を備え、多芯ケーブルを構成する個別の芯線をリングの内部に保持する。本図の例では芯線保持部１１は５つあり、それぞれの芯線保持部１１には、保持する芯線の識別情報を表示する識別情報表示部１３と、ケーブルを挟み込むための挟み込み口１４を備えている。
【００３８】
５つある芯線保持部１１は、方向表示部１２を中心にして花弁状に配されている。方向表示部１２の一方は尖端を形づくり、尖端の方向と多芯ケーブルの方向とが同じになるように識別表示具１を取り付ける。
【００３９】
図２では、本実施形態の多芯ケーブルの識別表示具１を多芯ケーブルであるツイストペアケーブル２の両端部に接続して、ＴＰＣ分岐箱３に入線した状態を示す。本図で示すように、ツイストペアケーブル２は２ｂから２ａの方向となっており、ツイストペアケーブル２の両端部に取り付けられた識別表示具１の方向表示部１２は、その方向を示すようにそれぞれ取り付けられている。なお、図２において、ツイストペアケーブル２ｂ，２ａは同一のツイストペアケーブル２の始端・終端を説明するための記号であり、ツイストペアケーブル２を構成する芯線２１ａ，２１ｂ等についても、同一の芯線の始端・終端を説明するための記号である。
【００４０】
ここで、図２・図３で示すように、ケーブルの外皮に方向を示す矢印が記載されているような場合には、かかる方向に方向表示部１２を合わせてケーブルの始端・終端に識別表示具１を取り付ける。
【００４１】
なお、ケーブルによっては方向性を持たないものもあり、その場合には、担当者が任意にケーブルの方向を定めることになる。具定的には、たとえばケーブルの外皮に記載された製品名の文字表示等を基準として、文字表示の最初を始端、最後を終端というように、あらかじめ担当者間における規則を定めるようにすることで、画一的な取り扱いとすることができる。
【００４２】
ツイストペアケーブル２は、１対が２本で５対のツイストケーブルにより構成されている。本実施形態の多芯ケーブルの識別表示具１では、１つの芯線保持部１１に、それぞれ２本で１対となったツイストケーブルを保持することができる。なお、本図では５対のうち３番対、４番対の２対のツイストケーブルを示しており、他の３対については記載を省略している。３番対は、２１ａから２１ｂとなる芯線と２２ａから２２ｂとなる芯線で構成されている。４番対は、２３ａから２３ｂとなる芯線と２４ａから２４ｂとなる芯線で構成されている。
【００４３】
一般的にツイストペアケーブルは、１番対が青線と白線の組み合わせであり、２番対から５番対は赤線と白線の組み合わせになっている。ここで、対となるケーブルの順番は、青線と白線の組み合わせである「１番対」を基準に、ケーブル方向に向かって左回りに「２番対、３番対」となっている。
【００４４】
したがって、図２に示すように、ツイストペアケーブル２の両端を並べて比較すると逆の順番になる。つまり、ケーブルの始端である２ｂでは、向かって左から３番対・４番対の順になるが、ケーブルの終端である２ａでは、向かって右から３番対・４番対の順になっている。なお、順番が異なる両端への識別表示具１の取り付けに際しては、識別表示具１が逆になるように取り付ける。これは、ケーブル方向を示す方向表示部１２の向きと符合する。
【００４５】
次に、図１に戻り、本実施形態にかかる多芯ケーブルの識別表示具１の構造について説明する。
本図では説明のために各部ごとに濃淡をつけて表すが、異なる部品であることを意味するものではない。むしろ樹脂等による一体成型を行う方がコスト面でのメリットを受けることができる。なお、ここで用いる材質は、結束タイ（インシュロック（登録商標））に使用するような硬めの樹脂が好ましい。
【００４６】
これにより、芯線保持部１１の挟み込み口１４は適度な硬さを備え、故意に取り外そうとしなければ外れないようにすることができる。また、識別表示具１に暖白色系を使用して目立たせるようにすることで、確認を容易にして担当者の作業効率を向上させることができる。
【００４７】
次に、芯線保持部１１の識別情報表示部１３では、識別情報として先述の対番を用いることとするが、本実施形態では樹脂に直接数字を彫り込むように成型されており、長期にわたり現地に設置しても消えないようにしている。また、識別情報表示部１３は芯線保持部１１の挟み込み口１４の両側につけることで、いろいろな角度からの識別情報の確認を容易にすることができる。
【００４８】
図３では、本実施形態にかかる多芯ケーブルの識別表示具１をツイストペアケーブル２に取り付けた例を示す。本例では識別情報表示部１３をシール印刷にして貼付しているが、彫り込みの刻印とすることで、擦れても簡単に消えないものにすることができる。
【００４９】
本実施形態の多芯ケーブルの識別表示具１によれば、シンプルな構成で安価に製造可能でありながら、簡単な取り扱いでツイストペアケーブルの対番等を表示させることができるので、ツイストペアケーブルの接続作業の効率化を図ることができる。
【００５０】
［第２の実施形態］
図４では、第２の実施の形態にかかる多芯ケーブルの識別表示具１を説明する。図４（ａ）は左側面図、図４（ｂ）は正面図、図４（ｃ）は（ｂ）正面図に示すＡ−Ａ断面を表した図である。
【００５１】
本実施形態では、第１の実施の形態にかかる多芯ケーブルの識別表示具１に連結用の部材を加えることで、複数の識別表示具１を連結可能にする。具体的には、本体の下部に連結部１５を備える（図４）。
【００５２】
図５では、２つの識別表示具１を連結した状態を示す。一方の識別表示具１の連結部１５を、他方の識別表示具１の芯線保持部１１に嵌合させることで、連結した一つの器具として取り扱うことができる。なお、嵌合させる他方の芯線保持部１１はいずれでもよいが、図５の例では本体の上部としている。
【００５３】
これにより、２本のツイストペアケーブル２を同一方向から挿入するような場合に、２本に順番をつけて管理することができる。なお、連結等を行わない場合に連結部１５をニッパ等で容易に切断できるようにしておくことで、必要に応じて使用を選択することができる。
【００５４】
また、図４に示す通り、連結部１５の底部を平面にするとともに、底部と平行に空洞を設けて、ロックタイ等を通すようにしている。これにより、ツイストペアケーブル２をＴＰＣ分岐箱３等の内部にあるフレームやバー等に容易に固定することができる（図５）。
【００５５】
さらに、方向表示部１２の中心を空洞とし、ワイヤーや心棒を通すようにすることで、ツイストペアケーブル２の強度を補強することができる。加えて、方向表示部１２の突起部分の中央あたりに空洞を設けて、その部分を通したロックタイ等で固定することができるようになっている（図５）。これにより、ツイストペアケーブル２を補強したワイヤーや心棒が抜け落ちることを回避することができる。
【００５６】
なお、ＴＰＣ通信５Ｐケーブル等では、５対の芯線ケーブルの中央に、通常は切り捨てているゴム等の樹脂でできた細い線が入っている。これを少し残して方向表示部１２の中心に設けた空洞を通しロックタイ等で固定することで、容易に識別表示具１を固定することができる。
【００５７】
また、方向表示部１２の突起部分は少し細くなっており、別の識別表示具１における方向表示部１２の根元部分の空洞と前後に連結して収納することができる。これにより、複数の識別表示具１をコンパクトに保管することができる（図５）。
【００５８】
次に、本実施形態の識別表示具１の変形例について説明する。図６は本変形例の識別表示具１の左側面図（ａ）と正面図（ｂ）である。
本変形例では、一方の識別表示具１が備える芯線保持部１１に、他方の識別表示具１が備える連結部１５を嵌合させて、２つの識別表示具１を連結させるのではなく、連結部１５自体に連結する機能を備えて、芯線保持部１１に影響を与えずに相互に連結させることができる。
【００５９】
具体的には、識別表示具１の連結部１５の下方から、左右方向に２本の突起が並行して成型されている（図６（ｂ））。それぞれの突起は途中から少し上方に位置をシフトした後、さらに左右方向に延びている。上下の突起と突起との間は、それぞれの突起と同じ形状となっている。
【００６０】
図７には、本例における識別表示具１を相互に連結した状態を示す。黒で示す上方の識別表示具１と、グレーで示す下方の識別表示具１は、それぞれの連結部１５が備える突起を咬合させることで係止している。ここで、下方の識別表示具１が上方の識別表示具１に取り付ける突起は左右のいずれでもよい。なお、識別表示具１は方向性を有するが、本例における連結部１５の構造では、識別表示具１の前後を逆に入れ替えるだけでいずれの方向であっても対応が可能である。
【００６１】
また、図７に示す通り、連結した状態においても、それぞれの識別表示具１の連結部１５が備える空洞は連続しており、ツイストペアケーブル２をＴＰＣ分岐箱３等の内部にあるフレームやバーに、容易に固定することができる。
【００６２】
本例によれば、相互の識別表示具１が備える芯線保持部１１がすべて使用可能になるので、２本のツイストペアケーブル２について、それぞれ５対のすべてを使用したい場合であっても対応することができる。
【００６３】
なお、ツイストペアケーブル２等の多芯ケーブルは各種の仕様があるので、それぞれに適した識別表示具１を作成することが好ましい。かかる場合において、大きさ等が異なる識別表示具１を作成する場合には、たとえば、素材となる樹脂の色で分けるようにすることで、誤って異なる仕様の識別表示具１を選択するような事態を回避することができる。
【００６４】
また、本実施形態ではツイストペアケーブルを例に説明したが、ツイストペアケーブル以外の多芯ケーブルであってもよい。この場合には、それぞれの芯線保持部１１には単独の芯線を保持することとし、芯線ごとに識別情報が付与されることになる。
【符号の説明】
【００６５】
１、１ａ、１ｂ  識別表示具
２、２ａ、２ｂ  ツイストペアケーブル
３  ＴＰＣ分岐箱
１１  芯線保持部
１２  方向表示部
１３  識別情報表示部
１４  挟み込み口
１５  連結部
２１ａ、２１ｂ、２２ａ、２２ｂ、２３ａ、２３ｂ、２４ａ、２４ｂ  芯線
【図４】
2011229271.tif 000003
【図６】
2011229271.tif 000004
【図１】
2011229271.tif 000005
【図２】
2011229271.tif 000006
【図３】
2011229271.tif 000007
【図５】
2011229271.tif 000008
【図７】
2011229271.tif 000009